(57)【特許請求の範囲】
【請求項１】
遊技盤に設けられ、パチンコ球が入球することが可能な入球口と、
前記遊技盤に前記入球口より上方に位置して設けられた台板と、
前記台板に前記遊技盤の盤面に対して略平行に設けられ、遊技者から見て前後方向へ指向する回転軸を中心に回転可能な回転体と、
前記回転体の上方に設けられ、パチンコ球を前記回転体の前方に落下させる侵入口を有する庇部と、
前記回転体に設けられ、前記庇部の侵入口から落下するパチンコ球が衝突することに基づいて当該パチンコ球を反射させるものであって前後方向へ指向すると共に前記回転体が前記回転軸を中心に所定ピッチだけ回転することに基づいて円周方向へ移動する複数本の釘と、
前記回転体に設けられ、前記回転体を予め決められた第１の方向へ前記回転軸を中心に回転操作するものであって突状をなす複数の軸部を有するラチエットと、
前記台板に設けられ、前記ラチエットに前記第１の方向への操作力が作用したときには弾性変形することに基づいて前記ラチエットが前記第１の方向へ回転することを許容するものであって前記ラチエットに前記第１の方向とは反対の第２の方向への操作力が作用したときには前記ラチエットに係合することに基づいて前記ラチエットが第２の方向へ回転することを拘束する板ばねと、
前記台板に設けられ、前記ラチエットに前記第１の方向への操作力を加えるための第３の方向および前記ラチエットに前記第２の方向への操作力を加えるための第４の方向のそれぞれに前後方向へ指向する回転軸を中心に回転可能な揺動アームと、
前記台板に設けられ、前記揺動アームを前記第３の方向および前記第４の方向のそれぞれへ操作するための電磁ソレノイドと、
前記揺動アームに設けられ、前記ラチエットの複数の軸部のそれぞれに係合することが可能なものであって前記電磁ソレノイドが断電されている状態で前記ラチエットの複数の軸部のいずれか一つに係合する凹部を有する係合アームを備え、
前記電磁ソレノイドは、
断電状態から通電状態になることに基づいて前記揺動アームを前記第３の方向へ操作し、前記係合アームの凹部から前記ラチエットの一つの軸部を通して前記ラチエットに前記第１の方向への操作力を加えることに基づいて前記ラチエットおよび前記回転体のそれぞれを前記第１の方向へ前記所定ピッチだけ回転操作するものであって、通電状態から断電状態になることに基づいて前記揺動アームを前記ラチエットの拘束状態で前記第４の方向へ操作し、前記係合アームの凹部を前記ラチエットの一つの軸部から外して一つの軸部に隣接する軸部に係合させるものであることを特徴とするパチンコ機。
【発明の詳細な説明】
【０００１】
【発明の属する技術分野】
本発明は、パチンコ球の挙動に変化を与えるための構成を備えたパチンコ機に関する。
【０００２】
【発明が解決しようとする課題】
パチンコ機には、パチンコ球を入球口の上方で障害釘に衝突させることに伴い、パチンコ球の挙動に変化を起し、パチンコ球が入球口に入球するか否かの面白みを与える構成のものがある。
【０００３】
上記構成の場合、パチンコ球が金属製の障害釘に衝突するため、入球口の上方でパチンコ球の速度が減速されず、十分にスピーデイな速度が得られる。しかしながら、パチンコ球の反射方向が障害釘に対する衝突方向で決まってしまうので、パチンコ球の反射方向を変化させるのに限界があり、面白みの点で十分でなかった。
【０００４】
本発明は上記事情に鑑みてなされたものであり、その目的は、パチンコ球が入球口に入球するか否かの面白みを高めることができるパチンコ機を提供することである。
【０００５】
【課題を解決するための手段】
請求項１記載のパチンコ機は、遊技盤に設けられパチンコ球が入球することが可能な入球口と、前記遊技盤に前記入球口より上方に位置して設けられた台板と、前記台板に前記遊技盤の盤面に対して略平行に設けられ遊技者から見て前後方向へ指向する回転軸を中心に回転可能な回転体と、前記回転体の上方に設けられパチンコ球を前記回転体の前方に落下させる侵入口を有する庇部と、前記回転体に設けられ前記庇部の侵入口から落下するパチンコ球が衝突することに基づいて当該パチンコ球を反射させるものであって前後方向へ指向すると共に前記回転体が前記回転軸を中心に所定ピッチだけ回転することに基づいて円周方向へ移動する複数本の釘と、前記回転体に設けられ前記回転体を予め決められた第１の方向へ前記回転軸を中心に回転操作するものであって突状をなす複数の軸部を有するラチエットと、前記台板に設けられ前記ラチエットに前記第１の方向への操作力が作用したときには弾性変形することに基づいて前記ラチエットが前記第１の方向へ回転することを許容するものであって前記ラチエットに前記第１の方向とは反対の第２の方向への操作力が作用したときには前記ラチエットに係合することに基づいて前記ラチエットが第２の方向へ回転することを拘束する板ばねと、前記台板に設けられ前記ラチエットに前記第１の方向への操作力を加えるための第３の方向および前記ラチエットに前記第２の方向への操作力を加えるための第４の方向のそれぞれに前後方向へ指向する回転軸を中心に回転可能な揺動アームと、前記台板に設けられ前記揺動アームを前記第３の方向および前記第４の方向のそれぞれへ操作するための電磁ソレノイドと、前記揺動アームに設けられ前記ラチエットの複数の軸部のそれぞれに係合することが可能なものであって前記電磁ソレノイドが断電されている状態で前記ラチエットの複数の軸部のいずれか一つに係合する凹部を有する係合アームを備え、前記電磁ソレノイドは断電状態から通電状態になることに基づいて前記揺動アームを前記第３の方向へ操作し前記係合アームの凹部から前記ラチエットの一つの軸部を通して前記ラチエットに前記第１の方向への操作力を加えることに基づいて前記ラチエットおよび前記回転体のそれぞれを前記第１の方向へ前記所定ピッチだけ回転操作するものであって通電状態から断電状態になることに基づいて前記揺動アームを前記ラチエットの拘束状態で前記第４の方向へ操作し前記係合アームの凹部を前記ラチエットの一つの軸部から外して一つの軸部に隣接する軸部に係合させるものであるところに特徴を有する。
上記手段によれば、パチンコ球が侵入口を通して回転体の釘に当たると、パチンコ球と釘との衝突位置のわずかなずれによって、パチンコ球の反射方向が大きく変化する。しかも、回転体の回転に伴い釘の位置が変化するので、入球口の直前でパチンコ球の反射方向のバリエーションが増える。さらに、パチンコ球が金属製の釘に衝突し、入球口の上方でパチンコ球の速度が減速されず、十分にスピーデイな速度が得られるので、総じて、パチンコ球が入球口に入球するか否かの面白みが高まる。
回転体の回転方向とパチンコ球の衝突方向との異同により、入球口の上方でパチンコ球の反射方向および反射速度に変化が起こるので、パチンコ球が入球口に入球するか否かの面白みが一層高まる。回転体の駆動時には、回転体の回転方向とパチンコ球の衝突方向との異同により、入球口の上方でパチンコ球の反射方向および反射速度に変化が起こる。  しかも、回転体の停止時には、パチンコ球がピンの位置に応じて各種の方向へ反射するので、総じて、パチンコ球が入球口に入球するか否かの面白みが一層高まる。しかも、遊技盤に打込まれた複数の障害釘により侵入口を形成する場合に比べ、パチンコ球が侵入口を通って回転体の釘に当る流れが明確になるので、パチンコ球が入球口に入球するか否かの面白みが一層高まる。
【００１１】
【発明の実施の形態】
以下、本発明の第１の実施形態を図１ないし図５に基づいて説明する。まず、図１において、枠１は木材を矩形状に組合わせてなるものであり、枠１には、下部に位置して下皿２が取付けられ、下皿２の右側に位置して発射レバー３が装着されている。
【００１２】
枠１には遊技盤４が取付けられており、遊技盤４の前面には複数の障害釘５が打込まれている。また、遊技盤４の裏側には、図５に示すように、メイン基板６が装着されており、メイン基板６には、マイクロコンピュータを主体とする制御装置７が実装されている。
【００１３】
発射レバー３の裏側には、図１に示すように、発射モータ８が装着されており、制御装置７は、発射レバー３が矢印イ方向へ回動操作されたことを検出すると、図５のモータ駆動回路８ａを介して発射モータ８を駆動する。また、枠１の裏側には、図１に示すように、発射モータ８の近傍に位置して打球槌９が装着されており、発射モータ８が作動すると、打球槌９が軸９ａを中心に繰返し回動する。尚、モータ駆動回路８ａはメイン基板６に実装されたものである。
【００１４】
下皿２と遊技盤４との間には上皿１０が装着されている。この上皿１０内にはパチンコ球Ａ（図２参照）が貯溜されており、打球槌９が回動すると、パチンコ球Ａが上皿１０内から打球槌９により打出される。そして、遊技盤４の左側部には外レール１１ａ，内レール１１ｂが装着されており、上皿１０内から打出されたパチンコ球Ａは、外レール１１ａ，内レール１１ｂに沿って遊技盤４内の上部に案内される。
【００１５】
遊技盤４の上部には、左右両側部に位置して電飾風車１２，１２が回転可能に装着され、遊技盤４の下部には、左右両側部に位置して入賞口１３，１３が装着されている。これら各入賞口１３は入球口に相当するものであり、パチンコ球Ａが入賞口１３内に入球すると、所定個数のパチンコ球Ａが上皿１０内に払い出される。
【００１６】
遊技盤４の略中央部には図柄表示装置１４が装着され、図柄表示装置１４の左右両側部には台板１５，１５がねじ止めされている。これら各台板１５は合成樹脂により形成されたものであり、各台板１５には、図４に示すように、後方へ窪む凹部１５ａ，１５ｂが一体形成され、各凹部１５ｂの中心部には、後方へ突出するボス部１５ｃが一体形成されている。
【００１７】
回転板１６は合成樹脂により形成されたものであり、円板状をなしている。この回転板１６の中心部には、後方へ突出するボス部１６ａが一体形成されており、このボス部１６ａ内には鋼鉄製の回転軸１７が固定されている。そして、各台板１５のボス部１５ｃ内には、回転板１６の回転軸１７が回転可能に挿入され、図３に示すように、各回転軸１７の後端部には抜止め用の止め輪１８が装着されており、各回転板１６は、遊技盤４の前面（盤面）に対して平行にされている。尚、各回転板１６は回転体に相当するものである。
【００１８】
各回転板１６には、図４に示すように、後方へ突出する３つのボス部１６ｂが一体形成されており、これらボス部１６ｂは、回転板１６の軸心（＝回転軸１７）に対して偏心する等角度（＝１２０°）で配置されている。そして、各ボス部１６ｂ内には、真鍮からなる断面円形状の回転釘１９が打込まれており、各回転釘１９は、遊技盤４の前面に対して垂直にされている。尚、各回転釘１９間の離間寸法Ｌ1 〜Ｌ3 は、パチンコ球Ａの直径寸法より若干大きい同一値に設定されている。
【００１９】
各台板１５の上縁部には、前方へ突出する庇部１５ｄが一体形成されている。これら各庇部１５ｄの左右方向中央部には開口状の侵入口１５ｅが形成されており、パチンコ球Ａが侵入口１５ｅを通して台板１５の板面内に侵入し、回転釘１９に当たると、パチンコ球Ａの落下方向および落下速度が変化する。これと共に、パチンコ球Ａから回転釘１９を通して回転板１６に衝撃力が作用し、図２に示すように、回転板１６が回転軸１７を中心に回転する。尚、侵入口１５ｅの左右方向幅寸法は、パチンコ球Ａの直径寸法より若干大きく設定されている。
【００２０】
遊技盤４には、図１に示すように、各台板１５の側方に位置して風車２０が装着され、図柄表示装置１４の下方に位置して始動口２１が装着されており、パチンコ球Ａが始動口２１内に入賞すると、パチンコ球Ａの入賞タイミングに応じた図柄が図柄表示装置１４に表示される。尚、各回転板１６，風車２０の直径寸法は、略同一の３０ｍｍに設定されている。
【００２１】
遊技盤４には、始動口２１の下方に位置して可動片２２が回動可能に装着されており、図柄表示装置１４に大当り図柄が表示されると、制御装置７は、図５に示すように、ソレノイド駆動回路２３ａを介して電磁ソレノイド２３を励磁させる。これにより、可動片２２を回動させ、可動片２２により閉塞されていた大入賞口（図示せず）を開放する。すると、パチンコ球Ａが大入賞口内に入賞し、入賞個数に応じたパチンコ球Ａが上皿１０内に払い出される。尚、ソレノイド駆動回路２３ａはメイン基板６に実装されたものである。
【００２２】
上記実施形態によれば、パチンコ球Ａが台板１５の侵入口１５ｅを通して回転板１６の回転釘１９に当たると、パチンコ球Ａと回転釘１９との衝突位置のわずかなずれによって、パチンコ球Ａの反射方向が大きく変化する。しかも、回転板１６の回転に伴い回転釘１９の位置が変化し、パチンコ球Ａの反射方向のバリエーションが増える。さらに、パチンコ球Ａが真鍮製の回転釘１９に衝突し、入賞口１３の上方でパチンコ球Ａの速度が減速されず、十分にスピーデイな速度が得られるので、総じて、パチンコ球Ａが入賞口１３に入球するか否かの面白みが高まる。また、回転釘１９を工具等で曲げることに伴い、パチンコ球Ａの挙動を任意に変化させることができるので、入賞口１３への入賞確率を調整できる。
【００２３】
また、回転板１６に３本の回転釘１９を打込んだので、回転板１６の直径寸法を風車２０と同等の３０ｍｍに設定した場合でも、回転釘１９間の離間寸法Ｌ1 〜Ｌ3 を十分に大きくできる。このため、パチンコ球Ａが回転釘１９に引掛かることが防止され、上述したように、入賞口１３の上方でパチンコ球Ａが回転釘１９に衝突し、パチンコ球Ａの反射方向のバリエーションが増えるので、回転板１６が風車２０の換わりとして手軽に使用できるコンパクトなものになる。
【００２４】
また、回転板１６の上方に庇部１５ｄを設け、庇部１５ｄに侵入口１５ｅを形成した。このため、遊技盤４に打込まれた複数の障害釘５により侵入口を形成する場合に比べ、パチンコ球Ａが侵入口１５ｅを通って回転釘１９に当る流れが明確に認識できるようになるので、パチンコ球Ａが入賞口１３に入球するか否かの面白みが一層高まる。
【００２５】
次に本発明の第２の実施形態を図６ないし図８に基づいて説明する。尚、上記第１の実施形態と同一の部材については同一の符号を付して説明を省略し、以下、異なる部材についてのみ説明を行う。各回転板１６の３つのボス部１６ｂは、回転板１６の軸心に対して偏心する不等角度で配置されており、図６に示すように、回転釘１９間の離間寸法Ｌ1 およびＬ3 は、パチンコ球Ａの直径寸法より大きい同一値に設定され、離間寸法Ｌ2 は、Ｌ1 およびＬ3 と異なる値（パチンコ球Ａの直径寸法より若干大きい値）に設定されている。
【００２６】
各台板１５の左右両側部にはボス部１５ｆ，１５ｆが一体形成されており、これらボス部１５ｆ，１５ｆには、駆動源に相当するモータ２４が取付けられている。これら各モータ２４は、図７に示すように、モータ２４を通してボス部１５ｆにねじ２５を締込むことに伴い固定されたものであり、各モータ２４の回転軸２４ａは、図６に示すように、回転板１６のボス部１６ａ内に挿入されている。各回転軸２４ａには、ボス部１６ａを通してピン２６が装着されており、これら各ピン２６は、回転軸２４ａとボス部１６ａとの間を固定している。尚、符号１５ｇは、ボス部１６ａおよび回転軸２４ａにピン２６を装着するための開口部を示している。
【００２７】
各モータ２４は、モータ駆動回路（図示せず）を介して制御装置７に接続されており、制御装置７は、電源が投入されると、各モータ駆動回路を介してモータ２４に電源を供給し、各モータ２４の回転軸２４ａを一方向へ連続的に回転させる。すると、各モータ２４の回転力が回転板１６に伝達され、各回転板１６が一方向へ連続的に回転する。また、制御装置７の内部ＲＯＭには制御プログラムが記憶されており、制御装置７は、各モータ２４を制御プログラムに基づいて駆動制御することに伴い、各回転板１６の回転速度を変化させる。
【００２８】
上記実施形態によれば、回転板１６をモータ２４により駆動した。このため、回転板１６の回転方向とパチンコ球Ａの衝突方向との異同により、入賞口１３の上方でパチンコ球Ａの反射方向および反射速度に変化が起こるので、パチンコ球Ａが入賞口１３に入賞するか否かの面白みが一層高まる。しかも、モータ２４を駆動制御して回転板１６の回転速度を変化させた。このため、入賞口１３の上方でパチンコ球Ａの挙動が一層複雑になるので、パチンコ球Ａが入賞口１３に入賞するか否かの面白みが一層高まる。
【００２９】
また、回転釘１９間の離間寸法Ｌ1 〜Ｌ3 を不等値に設定したので、図８に示すように、回転板１６の回転角度に応じて回転釘１９の位置が大幅に変化する。このため、入賞口１３の上方でパチンコ球Ａの挙動が一層複雑になるので、この点からも面白みが一層高まる。
【００３０】
尚、上記第２の実施形態においては、各モータ２４の回転軸２４ａを一方向へ回転させたが、これに限定されるものではなく、例えば正逆両方向へ回転させても良い。この構成の場合、各回転板１６が正逆両方向へ回転し、入賞口１３の上方でパチンコ球Ａの反射方向および反射速度に大きな変化が起こるので、パチンコ球Ａが入賞口１３に入賞するか否かの面白みが一層高まる。
【００３１】
また、上記第２の実施形態においては、各モータ２４の回転軸２４ａを連続的に回転させたが、これに限定されるものではなく、例えば間欠的に回転させても良い。この構成の場合、回転板１６の回転時には、回転板１６の回転方向とパチンコ球Ａの衝突方向との異同により、入賞口１３の上方でパチンコ球Ａの反射方向および反射速度に変化が起こる。しかも、回転板１６の停止時には、パチンコ球Ａが回転釘１９の位置に応じて各種の方向へ反射するので、総じて、パチンコ球Ａが入賞口１３に入賞するか否かの面白みが高まる。さらに、回転釘１９の位置が変化する様子が明確に表示されるので、この点からも面白みが高まる。
【００３２】
尚、モータ２４を間欠駆動するにあたっては、モータ２４の回転軸２４ａの回転位置をロータリエンコーダで検出したり、モータ２４としてステッピングモータ２４を用いたりすることに伴い、回転板１６を所定位置で停止させると良い。次に本発明の第３の実施形態を図９ないし図１１に基づいて説明する。尚、上記第１の実施形態と同一の部材については同一の符号を付して説明を省略し、以下、異なる部材についてのみ説明を行う。まず、図９において、各回転板１６の回転軸１７には、後端部に位置して合成樹脂製のラチェット２７が回り止め状態で挿入されている。そして、各回転軸１７の後端部には、図１０に示すように、止め輪２８が装着されており、これら各止め輪２８は、ラチェット２７を回転軸１７に対して抜止めしている。
【００３３】
各台板１５には、図９に示すように、２つのボス部１５ｈ（１個のみ図示する）が一体形成されており、これらボス部１５ｈには略Ｌ字状の取付板２９が取付けられている。これら各取付板２９は、図１０に示すように、取付板２９を通してボス部１５ｈにねじ３０を締込むことに伴い固定されたものであり、各取付板２９には、図９に示すように、電磁ソレノイド３１がねじ止めされている。尚、電磁ソレノイド３１は駆動源に相当するものであり、符号３２は、電磁ソレノイド３１を固定するねじを示している。
【００３４】
各電磁ソレノイド３１のプランジャ３１ａには、図１０に示すように、リング３３が固定されている。これら各リング３３には、図９に示すように、合成樹脂製のクランク３４が係合されており、これら各クランク３４は、電磁ソレノイド３１の通断電に伴い、プランジャ３１ａと一体的に矢印ロおよび反矢印ロ方向へ移動する。
【００３５】
各台板１５には回転軸３５が固定されており、これら各回転軸３５には、図１０に示すように、揺動アーム３６の孔３６ａが回動可能に挿入されている。そして、各回転軸３５の後端部には止め輪３７が装着されており、これら各止め輪３７は、揺動アーム３６を回転軸３５に対して抜止めしている。尚、各揺動アーム３６は合成樹脂により形成されたものである。
【００３６】
各揺動アーム３６には、後方へ突出する円柱状の突部３６ｂが一体形成されている。そして、各クランク３４には凹条部３４ａが形成され、図９に示すように、各揺動アーム３６の突部３６ｂは凹条部３４ａ内に係合されており、各クランク３４が矢印ロおよび反矢印ロ方向へ移動すると、各凹条部３４ａの内面から突部３６ｂを通して揺動アーム３６に回動力が伝達され、各揺動アーム３６が回転軸３５を中心に矢印ハおよび反矢印ハ方向へ回動する。
【００３７】
各揺動アーム３６には、図１０に示すように、孔３６ｃが形成されており、これら各孔３６ｃ内には係合アーム３８の軸部３８ａが回動可能に挿入されている。そして、各軸部３８ａの後端部には止め輪３９が装着されており、これら各止め輪３９は、軸部３８ａを揺動アーム３６の孔３６ｃに対して抜止めしている。また、各係合アーム３８の先端部には凹部３８ｂが形成されている。そして、各ラチェット２７には、図１１に示すように、複数の軸部２７ａが設けられており、各係合アーム３８の凹部３８ｂは軸部２７ａに係合されている。尚、各係合アーム３８は合成樹脂により形成されたものである。
【００３８】
各台板１５には、図１０に示すように、ボス部１５ｉが一体形成されており、これら各ボス部１５ｉには板ばね４０が取付けられている。これら各板ばね４０は、板ばね４０を通してボス部１５ｉにねじ４１を締込むことに伴い固定されたものであり、図１１に示すように、ラチェット２７に係合している。
【００３９】
各電磁ソレノイド３１は、ソレノイド駆動回路（図示せず）を介して制御装置７に接続されており、制御装置７は、電源が投入されると、各ソレノイド駆動回路を介して電磁ソレノイド３１に断続的に電源を供給する。すると、下記＜電磁ソレノイドの通電時＞に記載した動作と、下記＜電磁ソレノイドの断電時＞に記載した動作とが繰返され、各回転板１６が間欠的に図１１の矢印ニ方向へ回動するので、各回転釘１９の位置が間欠的に変化する。
【００４０】
＜電磁ソレノイドの通電時＞
各電磁ソレノイド３１に電源が供給され、各プランジャ３１ａが図９の反矢印ロ方向へ引込むと、各クランク３４が反矢印ロ方向へ一体的に移動する。すると、各クランク３４の凹条部３４ａから突部３６ｂを通して揺動アーム３６に回動力が伝達され、各揺動アーム３６が図１１の反矢印ハ方向へ回動するので、各揺動アーム３６から軸部３８ａを通して係合アーム３８に回動力が伝達され、各係合アーム３８が反矢印ハ方向へ回動する。
【００４１】
各係合アーム３８が反矢印ハ方向へ回動すると、各係合アーム３７の回動力が凹部３８ｂから軸部２７ａを通してラチェット２７に伝達され、各ラチェット２７が矢印ニ方向へ回動する。すると、各ラチェット２７の回動力が回転軸１７を通して回転板１６に伝達されるので、各回転板１６および３本の回転釘１９が矢印ニ方向へ所定ピッチだけ回動する。
【００４２】
＜電磁ソレノイドの断電時＞
各電磁ソレノイド３１が断電され、各プランジャ３１ａが図９の矢印ロ方向へ突出すると、各クランク３４が矢印ロ方向へ一体的に移動する。すると、各クランク３４から突部３６ｂを通して揺動アーム３６に回動力が伝達され、各揺動アーム３６が図１１の矢印ハ方向へ回動するので、各揺動アーム３６から係合アーム３８に回動力が伝達され、各係合アーム３８が矢印ハ方向へ回動する。
【００４３】
このとき、各板ばね４０がラチェット２７の回動を拘束するので、各係合アーム３８の凹部３８ｂとラチェット２７の軸部２７ａとの係合が解除される。すると、各係合アーム３８がラチェット２７に対して矢印ハ方向へ回動し、各係合アーム３８の凹部３８ｂが隣接する軸部２７ａに係合する。
【００４４】
尚、図１１の符号４２は、ラチェット２７と板ばね４０とから構成されたワンウェイクラッチを示している。このワンウェイクラッチ４２は拘束機構に相当するものであり、上述の説明から明らかなように、回転体１６の反矢印ニ方向への回転を拘束する。
【００４５】
制御装置７の内部ＲＯＭには制御プログラムが記憶されており、制御装置７は、各電磁ソレノイド３１に対する通電間隔を制御プログラムに基づいて短縮したり、延長したりする。すると、各係合アーム３８の回動頻度が通電間隔に応じて増加したり、減少したりするので、各回転板１６の回転速度が変化する。
【００４６】
上記実施形態によれば、回転板１６を電磁ソレノイド３１により駆動した。このため、回転板１６の回転方向とパチンコ球Ａの衝突方向との異同により、入賞口１３の上方でパチンコ球Ａの反射方向および反射速度に変化が起こるので、パチンコ球Ａが入賞口１３に入賞するか否かの面白みが高まる。
しかも、電磁ソレノイド３１を駆動制御して回転板１６の回転速度を変化させた。このため、入賞口１３の上方でパチンコ球Ａの挙動が一層複雑になるので、面白みが一層高まる。
【００４７】
また、回転板１６の一方向への回転を拘束したので、パチンコ球Ａから回転釘１９に一方向への衝撃力が作用したときには回転板１６の回転が拘束され、パチンコ球Ａの反射方向が大きく変化する。また、パチンコ球Ａから回転釘１９に他方向への衝撃力が作用したときには、回転板１６の回転に伴い回転釘１９の位置が変化するので、パチンコ球Ａの反射方向のバリエーションが増える。このため、パチンコ球Ａの挙動に変化が生じるので、パチンコ球Ａが入賞口１３に入賞するか否かの面白みが高まる。
【００４８】
また、回転板１６を電磁ソレノイド３１により間欠的に回動させたので、回転板１６の回動時には、回転板１６の回動方向とパチンコ球Ａの衝突方向との異同により、入賞口１３の上方でパチンコ球Ａの反射方向および反射速度に変化が起こる。しかも、回転板１６の停止時には、パチンコ球Ａが回転釘１９の位置に応じて各種の方向へ反射するので、総じて、パチンコ球Ａが入賞口１３に入賞するか否かの面白みが高まる。さらに、回転釘１９の位置が変化する様子が明確になるので、視覚的な面白みも得られる。
【００４９】
尚、上記第３の実施形態においては、回転板１６を電磁ソレノイド３１により駆動したが、これに限定されるものではなく、例えば電磁ソレノイド３１を廃止し、回転板１６をパチンコ球Ａが当る際の衝撃力で一方向へ回転させても良い。また、上記第２および第３の実施形態においては、回転板１６の回転速度を変化させる構成としたが、これに限定されるものではなく、例えば、回転板１６を一定速度で回転させても良い。
【００５０】
また、上記第１〜第３の実施形態においては、回転板１６に３本の回転釘１９を打込んだが、これに限定されるものではなく、要は、２本以上であれば良い。図１２は、回転板１６に５本の回転釘１９を打込んだ本発明の第４の実施形態を示すものである。同図に示すように、回転板１６に５本の回転釘１９を打込む場合には、１本を回転板１６の軸心（侵入口１５ｅの真下）に配置し、残り４本を軸心に対して等角度（＝９０°）で配置すれば、侵入口１５ｅを通過したパチンコ球Ａが回転釘１９に必ず当たるので、パチンコ球Ａが入賞口１３に入賞するか否かの面白みが高まる。
【００５１】
また、上記第１〜第４の実施形態においては、回転釘１９を真鍮により形成したが、これに限定されるものではなく、要は、パチンコ球Ａが衝突する際の衝撃で変形することなく、しかも、パチンコ球Ａを跳ね返す弾性力を有し、さらに、工具で曲げることが可能な材料により形成すれば良い。
また、上記第１〜第４の実施形態においては、回転板１６の直径寸法を３０ｍｍに設定したが、これに限定されるものではなく、要は、風車と同等であれば良い。
【００５２】
また、上記第１〜第４の実施形態においては、各台板１５に１つの回転板１６を装着したが、これに限定されるものではなく、例えば２個以上の回転板１６を装着しても良い。この場合、パチンコ球Ａが複数の回転釘１９に当るようになるので、パチンコ球Ａの挙動変化が一層大きくなり、パチンコ球Ａの動きのおもしろさが強調される。
また、上記第１〜第４の実施形態においては、入球口として入賞口１３を例示したが、これに限定されるものではなく、例えば役物の入賞口，ゲート等であっても良い。
【００５３】
また、上記第１〜第４の実施形態においては、台板１５に庇部１５ｄを一体形成したが、これに限定されるものではなく、例えば、庇部１５ｄを台板１５とは別に設け、遊技盤４にねじ止めしても良い。また、上記第１〜第４の実施形態においては、台板１５の庇部１５ｄに開口状の侵入口１５ｅを形成したが、これに限定されるものではなく、例えば複数の障害釘５を遊技盤４に打込むことに伴い侵入口を形成しても良い。
上記第１〜第４の実施形態には特許請求の範囲に記載した発明に加えてその他発明１〜その他発明６のそれぞれが記載されている。
＜その他発明１＞
遊技盤に設けられた入球口と、前記遊技盤に回転可能に装着され前記遊技盤の盤面に対して略平行な回転体と、前記遊技盤に設けられ前記回転体に対するパチンコ球の侵入口と、前記回転体に設けられ前記遊技盤の盤面に対して略垂直な複数本の釘とを備え、前記回転体が前記入球口の上方に配置されていることを特徴とするパチンコ機。
その他発明１によれば、パチンコ球が侵入口を通して回転体の釘に当たると、パチンコ球と釘との衝突位置のわずかなずれによって、パチンコ球の反射方向が大きく変化する。しかも、回転体の回転に伴い釘の位置が変化するので、入球口の直前でパチンコ球の反射方向のバリエーションが増える。さらに、パチンコ球が金属製の釘に衝突し、入球口の上方でパチンコ球の速度が減速されず、十分にスピーデイな速度が得られるので、総じて、パチンコ球が入球口に入球するか否かの面白みが高まる。
＜その他発明２＞
回転体の一方向への回転を拘束する拘束機構を備えたことを特徴とするパチンコ機。
その他発明２によれば、パチンコ球から回転体に一方向への衝撃力が作用したときには、パチンコ球の反射方向が大きく変化する。また、パチンコ球から回転体に他方向への衝撃力が作用したときには、回転体の回転に伴い釘の位置が変化するので、パチンコ球の反射方向のバリエーションが増える。このため、入球口の上方でパチンコ球の挙動に変化が生じるので、パチンコ球が入球口に入球するか否かの面白みが一層高まる。
＜その他発明３＞
回転体を駆動する駆動源を備えたことを特徴とするパチンコ機。
その他発明３によれば、回転体の回転方向とパチンコ球の衝突方向との異同により、入球口の上方でパチンコ球の反射方向および反射速度に変化が起こるので、パチンコ球が入球口に入球するか否かの面白みが一層高まる。
＜その他発明４＞
回転体が間欠駆動することを特徴とするパチンコ機。
その他発明４によれば、回転体の駆動時には、回転体の回転方向とパチンコ球の衝突方向との異同により、入球口の上方でパチンコ球の反射方向および反射速度に変化が起こる。しかも、回転体の停止時には、パチンコ球がピンの位置に応じて各種の方向へ反射するので、総じて、パチンコ球が入球口に入球するか否かの面白みが一層高まる。
＜その他発明５＞
回転体が正逆両方向へ駆動することを特徴とするパチンコ機。
その他発明５によれば、回転体の回転方向が正逆方向へ変化し、入球口の上方でパチンコ球の反射方向および反射速度に大きな変化が起こるので、パチンコ球が入球口に入球するか否かの面白みが一層高まる。
＜その他発明６＞
回転体の上方に前方へ突出する庇部が設けられ、この庇部に開口状の侵入口が形成されていることを特徴とするパチンコ機。
その他発明６によれば、遊技盤に打込まれた複数の障害釘により侵入口を形成する場合に比べ、パチンコ球が侵入口を通って回転体の釘に当る流れが明確になるので、パチンコ球が入球口に入球するか否かの面白みが一層高まる。
【００５４】
【発明の効果】
以上の説明から明らかなように、本発明のパチンコ機は次の効果を奏する。
遊技盤に回転体を装着すると共に、回転体に複数本の釘を設けた。このため、入球口の直前でパチンコ球の挙動にスピーディで大きな変化が与えられるので、パチンコ球が入球口に入球するか否かの面白みが高まる。回転体の一方向への回転を拘束した。このため、パチンコ球の釘に対する衝突方向によってパチンコ球の挙動に変化が生じるので、パチンコ球が入球口に入球するか否かの面白みが一層高まる。回転体を駆動源により駆動した。このため、回転体の回転方向とパチンコ球の衝突方向との異同により、入球口の上方でパチンコ球の反射方向および反射速度に変化が起こるので、パチンコ球が入球口に入球するか否かの面白みが一層高まる。回転体を駆動源により間欠的に駆動したので、回転体の駆動時には、回転体の回転方向とパチンコ球の衝突方向との異同により、入球口の上方でパチンコ球の反射方向および反射速度に変化が起こる。しかも、回転体の停止時には、パチンコ球がピンの位置に応じて各種の方向へ反射するので、総じて、パチンコ球が入球口に入球するか否かの面白みが一層高まる。庇部に開口状の侵入口を形成した。このため、パチンコ球が侵入口を通って回転板の釘に当る流れが明確に認識できるようになるので、パチンコ球が入球口に入球するか否かの面白みが一層高まる。
【図面の簡単な説明】
【図１】本発明の第１の実施形態を示す図（全体構成を示す正面図）
【図２】パチンコ球が回転釘に衝突する様子を拡大して示す正面図
【図３】（ａ）は回転板，台板を示す組立斜視図、（ｂ）は回転板，台板を示す分解斜視図
【図４】（ａ）は要部を示す正面図、（ｂ）は側面図、（ｃ）は裏面図、（ｄ）は上面図、（ｅ）はＸ−Ｘ線に沿う断面図
【図５】電気的構成の概略を示すブロック図
【図６】本発明の第２の実施形態を示す図４相当図
【図７】図３相当図
【図８】図２相当図
【図９】本発明の第３の実施形態を示す図４相当図
【図１０】図３相当図
【図１１】要部を電磁ソレノイドの除去状態で示す裏面図
【図１２】本発明の第４の実施形態を示す図４の（ａ）相当図
【符号の説明】
Ａはパチンコ球、４は遊技盤、１３は入賞口（入球口）、１５ｄは庇部、１５ｅは侵入口、１６は回転板（回転体）、１９は回転釘（釘）、２４はモータ（駆動源）、３１は電磁ソレノイド（駆動源）、４２はワンウェイクラッチ（拘束機構）を示す。
【図１】
0004114756.tif 000002
【図２】
0004114756.tif 000003
【図３】
0004114756.tif 000004
【図４】
0004114756.tif 000005
【図５】
0004114756.tif 000006
【図６】
0004114756.tif 000007
【図７】
0004114756.tif 000008
【図８】
0004114756.tif 000009
【図９】
0004114756.tif 000010
【図１０】
0004114756.tif 000011
【図１１】
0004114756.tif 000012
【図１２】
0004114756.tif 000013